(57)【要約】【課題】ポインタ操作中に方向指示キーを押下するという単純な操作でどちらからの切り替えも容易なものとなるリモコン操作入力切替方法を提供する。【解決手段】リモコンは機能メニューを示す機能表示領域の移動方向を指示する方向指示手段と、ディスプレイの表示領域にポインタ位置を指示するポインタ位置指示手段とを備え、表示装置は、前記メニューを示す表示領域の方向指示位置を表示し機能指示のできる状態とする方向指示位置表示手段と、表示領域の位置を指すポインタ位置を表示するポインタ位置表示手段と、前記方向指示位置表示手段及び前記ポインタ位置表示手段を制御する制御手段と、ポインタ位置表示の状態を管理するポインタ管理手段を備え、前記表示装置の制御手段は前記リモコンの方向指示手段から指示を受け付けた場合には前記ポインタ指示による機能指示を不活性状態とするように、前記ポインタ位置表示手段を制御することを特徴とする。【選択図】図１
2010182134.tif 000002
【特許請求の範囲】
【請求項１】
表示部上に選択状態であるか否かを示す選択状態表示可能なオブジェクトと、前記オブジェクトを操作するポインタとを表示する制御端末装置と、
前記制御端末装置の操作を行うリモコン装置と、
を備えるリモコンシステムであって、
前記リモコン装置は、
前記ポインタの操作を行うポインタ操作手段と、
前記オブジェクトのうち、選択状態表示されている第一のオブジェクトから、選択状態表示されていない第二のオブジェクトに、選択状態表示の変更操作を行う選択状態表示変更操作手段と、
前記ポインタ操作手段の操作に応じて、当該操作に対応するポインタ操作信号を生成するポインタ操作信号生成手段と、
前記変更操作に応じて、当該変更操作に対応する選択状態表示変更操作信号を生成する選択状態表示変更操作信号生成手段と、
前記ポインタ操作信号又は、前記選択状態表示変更操作信号を送信する送信手段と、
を備え、
前記制御端末装置は、
前記リモコン装置から送信されるポインタ操作信号又は、選択状態表示変更操作信号を受信する受信手段と、
前記受信手段が受信する受信信号を検出し、当該受信信号に、前記選択状態表示変更操作信号が含まれず、かつ、前記ポインタ操作信号が含まれる場合、当該ポインタ操作信号を出力し、当該受信信号に、前記選択状態表示変更操作信号が含まれる場合、当該選択状態表示変更操作信号を出力する受信信号検出手段と、
前記受信信号検出手段の出力結果が前記ポインタ操作信号である場合、当該ポインタ操作信号から前記表示部上のポインタ位置情報を計算し、前記選択状態表示変更操作信号である場合、当該選択状態表示変更操作信号から前記第一のオブジェクトから前記第二のオブジェクトへの変更操作方向を示す操作方向情報を計算する情報処理手段と、
前記情報処理手段において計算された前記ポインタ位置情報、若しくは前記操作方向情報に応じて、前記表示部上に表示されるオブジェクトから、選択状態表示とするオブジェクトを少なくとも一つ選択するオブジェクト選択手段と、
前記オブジェクト選択手段で選択されたオブジェクトを選択状態表示に変更する選択状態表示変更手段と、
を備えることを特徴とするリモコンシステム。
【請求項２】
前記オブジェクト選択手段は、前記情報処理部から前記ポインタ位置情報が入力された場合、当該ポインタ位置情報に対応する前記表示部上のポインタに最も近いオブジェクトを選択する特徴を備える請求項１に記載のリモコンシステム。
【請求項３】
前記オブジェクト選択手段は、前記情報処理部から前記ポインタ位置情報が入力された場合、当該ポインタ位置座標を中心とする予め設定された領域内に存在する前記オブジェクトを選択する特徴を備える請求項１に記載のリモコンシステム。
【請求項４】
請求項３に記載のオブジェクト選択手段であって、前記ポインタ位置座標を中心とする予め設定された領域内に存在する前記オブジェクトのうち、当該ポインタ位置座標に最も近いオブジェクトを選択する特徴を備える請求項３に記載のリモコンシステム。
【請求項５】
前記選択状態変更手段において、前記第一のオブジェクトから前記第二のオブジェクトに選択状態表示が変更されたことを検出する選択状態表示変更検出手段と、
前記選択状態表示変更検出手段において、選択状態表示が変更されたことを検出した場合、前記表示部上に表示されるポインタを、自動的に移動させるポインタ自動移動手段と、
を備えることを特徴とする請求項１から請求項４のいずれかに記載のリモコンシステム。
【請求項６】
前記ポインタ自動移動手段は、前記ポインタを前記表示部上の予め設定された位置に自動的に移動させる特徴を備える請求項５に記載のリモコンシステム。
【請求項７】
前記ポインタ自動移動手段は、前記ポインタを前記表示部上の前記オブジェクトが存在しない位置に自動的に移動させることを特徴とする請求項５または請求項６に記載のリモコンシステム。
【請求項８】
前記選択状態表示は、前記オブジェクト選択手段によって選択されたオブジェクトの、前記表示部の背景部分に対する輝度と、当該選択されたオブジェクト以外のオブジェクトの、前記表示部の背景部分に対する輝度とで、高低差を設ける表示形態であることを特徴とする請求項１から請求項７のいずれかに記載のリモコンシステム。
【請求項９】
前記選択状態表示は、前記オブジェクト選択手段によって選択されたオブジェクトと、当該選択されたオブジェクト以外のオブジェクトとの前記表示部上における表示色を、異なる表示色として表示する表示形態であることを特徴とする請求項１から請求項７のいずれかに記載のリモコンシステム。
【請求項１０】
前記選択状態表示は、前記オブジェクト選択手段によって選択されたオブジェクトと、当該選択されたオブジェクト以外のオブジェクトとの前記表示部上における表示画像を、異なる表示画像として表示する表示形態であることを特徴とする請求項１から請求項７のいずれかに記載のリモコンシステム。
【請求項１１】
表示部上に表示されるポインタの操作が設定された送信されるポインタ操作信号又は、前記表示部上に表示されるオブジェクトの変更操作が設定されたオブジェクト変更操作信号を受信する受信手段と、
前記受信手段が受信する受信信号を検出し、当該受信信号に、前記選択状態表示変更操作信号が含まれず、かつ、前記ポインタ操作信号が含まれる場合、当該ポインタ操作信号を出力し、当該受信信号に、前記選択状態表示変更操作信号が含まれる場合、当該選択状態表示変更操作信号を出力する受信信号検出手段と、
前記受信信号検出手段の出力結果が前記ポインタ操作信号である場合、当該ポインタ操作信号から前記表示部上のポインタ位置情報を計算し、前記選択状態表示変更操作信号である場合、当該選択状態表示変更操作信号から前記第一のオブジェクトから前記第二のオブジェクトへの変更操作方向を示す操作方向情報を計算する情報処理手段と、
前記情報処理手段において計算された前記ポインタ位置情報、若しくは前記操作方向情報に応じて、前記表示部上に表示されるオブジェクトから、選択状態表示とするオブジェクトを少なくとも一つ選択するオブジェクト選択手段と、
前記オブジェクト選択手段で選択されたオブジェクトを選択状態表示に変更する選択状態表示変更手段と、
を備えることを特徴とする制御端末装置。
【請求項１２】
表示部上に表示されるポインタの操作が設定された送信されるポインタ操作信号又は、前記表示部上に表示されるオブジェクトの変更操作が設定されたオブジェクト変更操作信号を受信する受信ステップと、
前記受信手段が受信する受信信号を検出し、当該受信信号に、前記選択状態表示変更操作信号が含まれず、かつ、前記ポインタ操作信号が含まれる場合、当該ポインタ操作信号を出力し、当該受信信号に、前記選択状態表示変更操作信号が含まれる場合、当該選択状態表示変更操作信号を出力する受信信号検出ステップと、
前記受信信号検出手段の出力結果が前記ポインタ操作信号である場合、当該ポインタ操作信号から前記表示部上のポインタ位置情報を計算し、前記選択状態表示変更操作信号である場合、当該選択状態表示変更操作信号から前記第一のオブジェクトから前記第二のオブジェクトへの変更操作方向を示す操作方向情報を計算する情報処理ステップと、
前記情報処理手段において計算された前記ポインタ位置情報、若しくは前記操作方向情報に応じて、前記表示部上に表示されるオブジェクトから、選択状態表示とするオブジェクトを少なくとも一つ選択するオブジェクト選択ステップと、
前記オブジェクト選択手段で選択されたオブジェクトを選択状態表示に変更する選択状態表示変更ステップと、
を備えることを特徴とする選択状態表示変更方法。
【発明の詳細な説明】
【技術分野】
【０００１】
本発明は、リモコン操作を行う際の、表示部上に表示されるオブジェクトの操作対象を切替えるリモコンシステム、制御端末装置及び、選択状態表示変更方法に関するもので、上下左右のような移動方向の方向指示する機能と、表示領域に対するポインタ位置を指示する機能とを備える入力方法の切替え技術に関するものである。
【背景技術】
【０００２】
従来、テレビジョン受像機等のテレビ放送受信端末装置を利用者の視聴位置にて遠隔操作するリモートコントローラ（以下、リモコンと記す）が存在する。このようなテレビ放送受信端末装置と、リモコンとを備えるリモコンシステムでは、リモコンに備えられる方向指示キー等を押圧操作することで、ディスプレイ等の表示部上に配置、表現されているオブジェクトの操作ができる。例えば、リモコンでは、備えられた選択状態変更キーの押圧操作により、ディスプレイ上に配置・表現されるオブジェクトが操作対象であることを示すハイライト状態を、上下左右に存在するオブジェクトへ移動させる操作信号を表示装置に送信する。そして、テレビ放送受信端末装置において操作信号を受信し、受信した操作信号に設定されるディスプレイ上のオブジェクトを選択状態表示又は、決定することができるオブジェクト操作方法がある。
【０００３】
一方、リモコン操作に対応して動作するディスプレイ上に表示されるポインタを用いて、操作対象となるオブジェクトの変更又は、決定操作を行う入力方法がある。この方法は、ディスプレイ上に表示されるオブジェクトにポインタが重なった場合、その重なったオブジェクトがハイライト状態になり、ポインタによる選択が可能になるオブジェクト操作方法である。
【０００４】
上記二つのオブジェクト操作方法をユーザーの操作によって切替える場合、例えば操作方法の切替えボタンを備えるリモコンの構成とすることや、またリモコンに備えられる既存のボタンを一定時間押下した場合、操作方法を切替える構成（例えば、特許文献１参照）や、さらに操作するオブジェクトに予め入力方法を割り当てておくこと（例えば、特許文献２参照）、そして操作するウィンドウにおいて入力が切替わるよう設定しておく等の切替え方法（例えば、特許文献３参照）が示されている。
【特許文献１】特開平１０−２２２３０８号公報
【特許文献２】特開２００５−２２９５９４号公報
【特許文献３】特開２０００−８９８９２号公報
【発明の開示】
【発明が解決しようとする課題】
【０００５】
しかしながら、前記従来の構成・方法においては、リモコン上に新しく操作方法を切替えるためのボタンを増設する必要があり、使用者にとってわかりにくい。さらに、入力方法を切替えるために一定時間、既存のボタンを押下しておくことは、操作方法に関する知識が必要となり、ユーザーが気軽に使用することができないという課題を有していた。
【０００６】
本発明は、前記従来の課題を解決するもので、ポインタ操作中に方向指示キーを押下するという単純な操作でポインタ操作から方向指示キー操作に切替え、また方向指示キー操作中にポインタの操作をリモコンによって行うだけで、方向指示キー操作からポインタ操作に切替えることが可能であり、どちらからの切り替えも容易なものとなるオブジェクトの操作方法を提供することを目的とする。
【課題を解決するための手段】
【０００７】
上記の目的を達成するために、本発明においては表示部上に選択状態であるか否かを示す選択状態表示可能なオブジェクトと、前記オブジェクトを操作するポインタとを表示する制御端末装置と、前記制御端末装置の操作を行うリモコン装置と、を備えるリモコンシステムであって、前記リモコン装置は、前記ポインタの操作を行うポインタ操作手段と、
前記オブジェクトのうち、選択状態表示されている第一のオブジェクトから、選択状態表示されていない第二のオブジェクトに、選択状態表示の変更操作を行う選択状態表示変更操作手段と、前記ポインタ操作手段の操作に応じて、当該操作に対応するポインタ操作信号を生成するポインタ操作信号生成手段と、前記変更操作に応じて、当該変更操作に対応する選択状態表示変更操作信号を生成する選択状態表示変更操作信号生成手段と、前記ポインタ操作信号又は、前記選択状態表示変更操作信号を送信する送信手段と、を備え、前記制御端末装置は、前記リモコン装置から送信されるポインタ操作信号又は、選択状態表示変更操作信号を受信する受信手段と、前記受信手段が受信する受信信号を検出し、当該受信信号に、前記選択状態表示変更操作信号が含まれず、かつ、前記ポインタ操作信号が含まれる場合、当該ポインタ操作信号を出力し、当該受信信号に、前記選択状態表示変更操作信号が含まれる場合、当該選択状態表示変更操作信号を出力する受信信号検出手段と、前記受信信号検出手段の出力結果が前記ポインタ操作信号である場合、当該ポインタ操作信号から前記表示部上のポインタ位置情報を計算し、前記選択状態表示変更操作信号である場合、当該選択状態表示変更操作信号から前記第一のオブジェクトから前記第二のオブジェクトへの変更操作方向を示す操作方向情報を計算する情報処理手段と、前記情報処理手段において計算された前記ポインタ位置情報、若しくは前記操作方向情報に応じて、前記表示部上に表示されるオブジェクトから、選択状態表示とするオブジェクトを少なくとも一つ選択するオブジェクト選択手段と、前記オブジェクト選択手段で選択されたオブジェクトを選択状態表示に変更する選択状態表示変更手段と、を備えることを特徴とする。
【０００８】
また、上記リモコンシステムにおける前記オブジェクト選択手段は、前記情報処理部から前記ポインタ位置情報が入力された場合、当該ポインタ位置情報に対応する前記表示部上のポインタに最も近いオブジェクトを選択する特徴を備える構成にしても良い。
【０００９】
また、上記リモコンシステムにおける前記オブジェクト選択手段は、前記情報処理部から前記ポインタ位置情報が入力された場合、当該ポインタ位置座標を中心とする予め設定された領域内に存在する前記オブジェクトを選択する特徴を備える構成にしても良い。
【００１０】
また、上記リモコンシステムにおいてオブジェクト選択手段は、前記ポインタ位置座標を中心とする予め設定された領域内に存在する前記オブジェクトのうち、当該ポインタ位置座標に最も近いオブジェクトを選択する特徴を備える構成にしてもよい。
【００１１】
また、上記リモコンシステムは、前記選択状態変更手段において、前記第一のオブジェクトから前記第二のオブジェクトに選択状態表示が変更されたことを検出する選択状態表示変更検出手段と、前記選択状態表示変更検出手段において、選択状態表示が変更されたことを検出した場合、前記表示部上に表示されるポインタを、自動的に移動させるポインタ自動移動手段と、を備えることを特徴としてもよい。
【００１２】
また、上記リモコンシステムにおける前記ポインタ自動移動手段は、前記ポインタを前記表示部上の予め設定された位置に自動的に移動させる特徴を備える構成にしてもよい。
【００１３】
また、上記リモコンシステムにおける前記ポインタ自動移動手段は、前記ポインタを前記表示部上の前記オブジェクトが存在しない位置に自動的に移動させることを特徴とする構成にしてもよい。
【００１４】
また、上記リモコンシステムにおける前記選択状態表示は、前記オブジェクト選択手段によって選択されたオブジェクトの、前記表示部の背景部分に対する輝度と、当該選択されたオブジェクト以外のオブジェクトの、前記表示部の背景部分に対する輝度とで、高低差を設ける表示形態であることを特徴とする構成にしてもよい。
【００１５】
また、上記リモコンシステムにおける前記選択状態表示は、前記オブジェクト選択手段によって選択されたオブジェクトと、当該選択されたオブジェクト以外のオブジェクトとの前記表示部上における表示色を、異なる表示色として表示する表示形態であることを特徴とする構成にしても良い。
【００１６】
また、上記リモコンシステムにおける前記選択状態表示は、前記オブジェクト選択手段によって選択されたオブジェクトと、当該選択されたオブジェクト以外のオブジェクトとの前記表示部上における表示画像を、異なる表示画像として表示する表示形態であることを特徴とする構成にしてもよい。
【００１７】
また、表示部上に表示されるポインタの操作が設定された送信されるポインタ操作信号又は、前記表示部上に表示されるオブジェクトの変更操作が設定されたオブジェクト変更操作信号を受信する受信手段と、前記受信手段が受信する受信信号を検出し、当該受信信号に、前記選択状態表示変更操作信号が含まれず、かつ、前記ポインタ操作信号が含まれる場合、当該ポインタ操作信号を出力し、当該受信信号に、前記選択状態表示変更操作信号が含まれる場合、当該選択状態表示変更操作信号を出力する受信信号検出手段と、前記受信信号検出手段の出力結果が前記ポインタ操作信号である場合、当該ポインタ操作信号から前記表示部上のポインタ位置情報を計算し、前記選択状態表示変更操作信号である場合、当該選択状態表示変更操作信号から前記第一のオブジェクトから前記第二のオブジェクトへの変更操作方向を示す操作方向情報を計算する情報処理手段と、前記情報処理手段において計算された前記ポインタ位置情報、若しくは前記操作方向情報に応じて、前記表示部上に表示されるオブジェクトから、選択状態表示とするオブジェクトを少なくとも一つ選択するオブジェクト選択手段と、前記オブジェクト選択手段で選択されたオブジェクトを選択状態表示に変更する選択状態表示変更手段と、を備えることを特徴とする。
【００１８】
上記構成により、ポインタ操作中に方向指示キーを単純に操作する若しくは、方向指示キーで操作中にポインタ操作を行うことで、表示部上に表示されるオブジェクトの操作方法及び、実行権利を、ポインタ操作から方向キー操作に切替えることが可能となる効果を奏する。
【発明の効果】
【００１９】
本発明は、ポインタ操作中に方向指示キーを単純に操作する若しくは、方向指示キーで操作中にポインタ操作を行うことで、表示部上に表示されるオブジェクトの操作方法及び、実行権利を、ポインタ操作から方向キー操作に切替えることが可能となる効果を持つ。
【発明を実施するための最良の形態】
【００２０】
（実施の形態１）
以下、本発明の実施の形態１におけるリモコンシステムについて、図面を参照しながら説明する。なお、本発明において選択状態表示とは、選択されているオブジェクト（例えば、テレビにおいては、ユーザーが希望する機能を実行するために選択しているメニューボタンを指す。）を、選択していないオブジェクトと区別できるようにする表示形態を指す。ここで、表示形態としては、ハイライト表示、画像変更表示等を用いても構わない。具体的にハイライト表示とは、選択オブジェクトを非選択オブジェクトとは異なる形態で表示するものであり、例えば、選択オブジェクトを非選択オブジェクトとで、オブジェクト領域内の輝度と背景部分の輝度との間に高低差を設ける反転表示、選択オブジェクトと、非選択オブジェクトとで、表示色を異ならせる異色表示等である。また、画像変更表示とは、選択オブジェクトの表示画像を、非選択オブジェクトの表示画像とは異なる、予め設定された選択状態を示す表示画像を用いて表示するものである。
【００２１】
図１は、本発明の実施の形態１におけるリモコンシステムの構成を示す。本発明のリモコンシステムは、リモコン装置としてテレビリモコン本体１００と、制御端末装置としてテレビ放送受信端末装置２００と、表示部としてディスプレイ３００とが設けられている。
【００２２】
テレビリモコン１００は、テレビ放送受信端末装置２００を介し、ディスプレイ３００上のオブジェクト３０１及び、ポインタ３０２の選択又は、操作が可能な操作機器である。このテレビリモコンは、ポインタ３０２を操作するためのポインタ操作手段であるタッチパッド１０２と、選択状態表示を、現在選択しているオブジェクトから、他のオブジェクトに変更させるオブジェクト変更操作手段として、選択状態変更キー１０１とを備え、このタッチパッド１０２と、選択状態変更キー１０１との操作情報を、テレビ放送受信端末に対し、例えば、電波や赤外線等の通信媒体を介して、送信することができる。なお、ポインタ操作手段及び、オブジェクト操作変更手段を独立して設ける必要はなく、二つの手段を一体として構成しても構わない。
【００２３】
テレビ放送受信端末装置２００は、例えばディスプレイ３００の画質調整等の、テレビ機能に対応付けられたオブジェクト３０１と、オブジェクト３０１を選択指示するポインタ３０２とをディスプレイ３００に表示させることができる。また、テレビリモコン１００から送信される操作信号を受信し、この操作信号に応じて、ポインタ３０２のディスプレイ３００上における位置座標を検出することができる。さらに、ディスプレイ３００上に存在するオブジェクト３０１の選択及び、ポインタ３０２の移動操作をすることができる。また、少なくともオブジェクト３０１のディスプレイ３００上での位置座標と、選択状態表示情報とを含むオブジェクト情報を蓄積することができる。ここで、選択状態表示情報とは、ディスプレイ３００上に表示されるオブジェクト３０１の選択状態に関する情報であり、例えば、ハイライト表示、異色表示、画像変更表示等を設定する情報である。なお、本発明の実施の形態１において、制御端末装置としてテレビ放送受信端末装置２００を用いたが、例えばテレビ本体、ＤＶＤレコーダ、パソコン等を利用しても構わない。また、テレビ放送受信端末装置２００は、ディスプレイ３００が内蔵されていても構わないし、外部接続されていても構わない。
【００２４】
ディスプレイ３００は、テレビ放送受信端末装置２００から送信される静止画又は、動画の映像信号を表示するための表示部であり、例えばＰＤＰ（Ｐｌａｓｍａ  Ｄｉｓｐｌａｙ  Ｐａｎｅｌ）、液晶ディスプレイ、有機ＥＬ等を利用しても構わない。
【００２５】
以下、本発明の実施の形態１におけるリモコンシステムに設けられたテレビリモコンについて説明していく。
【００２６】
図２は、本発明の実施の形態１におけるテレビリモコン１００の一構成例を示すブロック図である。
【００２７】
図２において、テレビリモコン１００は、選択状態変更キー１０１、タッチパッド１０２、ポインタ操作信号生成部１０３、選択状態変更信号生成部１０４、送信部１０５で構成されている。
【００２８】
選択状態変更キー１０１は、選択されているオブジェクトから他のオブジェクトに、選択状態表示を変更する操作キーである。例えば、図３に示すようにディスプレイ３００の上下左右方向を指示する操作キー１０１（ａ）、１０１（ｂ）、１０１（ｃ）、１０１（ｄ）が備えられている場合、上方向キー１０１（ａ）が押圧操作されると、現在、選択されているオブジェクトの、上方向に存在するオブジェクトを選択状態表示にする選択状態変更要求を選択状態変更信号生成部１０４に出力する。なお、オブジェクト変更操作手段は、図３に示すような押圧操作可能な選択状態変更キー１０１に限定されるものではなく、例えばジョイスティック等、操作方向を指示できる操作手段であればどのようなものを用いても構わない。
【００２９】
タッチパッド１０２は、ディスプレイ３００上に表示されたポインタ３０２を操作するためのデバイスである。このタッチパッド１０２では、ユーザーの指等が触れた位置を基に、ディスプレイ３００上のポインタ位置座標を指定するためのポインタ位置情報を検出して、ポインタ操作信号生成部１０３に出力する。なお、ポインタ操作手段は、タッチパッド１０２に限定されるものではなく、例えばテレビリモコン１００を空中で操作することでポインタ３０２の操作が可能なエアマウス機能等、ポインタ３０２を操作できるデバイスであればどのようなものを用いても構わない。
【００３０】
ポインタ操作信号生成部１０３は、タッチパッド１０２において検出したポインタ位置情報を基に、ディスプレイ３００上のポインタ３０２を操作するためのポインタ操作信号を生成し、送信部１０５に出力する。
【００３１】
選択状態変更信号生成部１０４は、選択状態変更キー１０１によって出力された選択状態変更要求を基に、ディスプレイ３００上の選択状態表示を行うオブジェクトを変更する選択状態変更信号を生成し、送信部１０５に出力する。
【００３２】
送信部１０５は、ポインタ操作信号生成部１０３及び、選択状態変更信号生成部１０４において生成された操作信号を検出し、テレビ放送受信端末装置２００に送信する。
【００３３】
以下、本発明の実施の形態１におけるリモコンシステムに設けられたテレビ放送受信端末装置２００について説明していく。
【００３４】
図４は、本発明の実施の形態１におけるテレビ放送受信端末装置２００の一構成例を示すブロック図である。
【００３５】
図４において、テレビ放送受信端末装置２００は、受信部２０１、信号検出部２０２、情報処理部２０４、オブジェクト情報管理部２０３、オブジェクト選択部２０５、フラグ制御部２０６、表示出力部２０７で構成されている。
【００３６】
受信部２０１は、テレビリモコン１００からの送信信号を受信し、信号検出部２０２に出力する。
【００３７】
信号検出部２０２は、受信部２０１で受信した送信信号から、ポインタ操作信号又は、選択状態変更信号を検出し、情報処理部２０４に出力する。
【００３８】
オブジェクト情報管理部２０３は、ディスプレイ３００上におけるオブジェクト３０１の情報、例えば、オブジェクト名、オブジェクト３０１の位置座標、選択状態表示情報等を蓄積している。なお、選択状態表示情報とは、オブジェクト３０１が選択状態となった際の動作内容を表す情報であり、例えば、ハイライト表示等が選択状態表示情報に該当する。
【００３９】
情報処理部２０４は、信号検出部２０２において、ポインタ操作信号が検出された場合は、ディスプレイ３００上におけるポインタ位置座標を算出し、一方、選択状態変更信号が検出された場合には、現在、選択状態表示されているオブジェクトから、操作後に選択状態表示を行うオブジェクトへの操作方向を示す操作方向情報を、選択状態変更信号を基に算出し、それぞれオブジェクト選択部２０５に出力する。
【００４０】
オブジェクト選択部２０５は、情報処理部２０４から出力されるポインタ位置座標又は、操作方向情報に応じて選択状態表示とするオブジェクトを選択し、選択結果をフラグ制御部２０６に出力する。
【００４１】
フラグ制御部２０６は、オブジェクト選択部２０５から出力されたオブジェクトの選択結果に応じて、図５に示すような、ディスプレイ３００上に表示されるオブジェクトの選択状態表示に対応するフラグテーブルのフラグを制御する。例えば、図６に示すようにディスプレイ３００上にオブジェクトＡからオブジェクトＦまでが表示されており、オブジェクトＣのみが選択状態表示されていることを考える。このとき、図５に示すフラグテーブルのように、オブジェクトＣのみのフラグがオンとなっており、オブジェクトＣ以外のオブジェクトのフラグはオフになるよう制御される。また、オブジェクト選択部２０５において、オブジェクトＢが選択されると、オブジェクトＣのフラグをオフにし、オブジェクトＢのフラグをオンにするよう制御される。なお、フラグテーブルにおいて、フラグがオンを示すために１を、オフを示すために０を割り当てたが、選択状態表示されているオブジェクトと、それ以外のオブジェクトとが区別できる手段であれば、どのようなものを用いても構わない。
【００４２】
表示出力部２０７は、フラグ制御部２０６及び、オブジェクト情報管理部２０３に基づいて、選択オブジェクト及び、非選択オブジェクトを表示する表示信号をディスプレイ３００に出力する。
【００４３】
以下、本発明の実施の形態１におけるテレビリモコン１００の動作について、図面を参照しながら説明する。
【００４４】
図７は、テレビリモコン１００の動作を示すフローチャートである。
【００４５】
（Ｓ３０１）まず、テレビリモコン１００は、ユーザーがテレビリモコン１００に備えられるボタンが押圧操作されたかどうかを判定する。ここで、タッチパッド１０２及び、選択状態変更キー１０１以外のボタン、例えば、チャンネル又は、音量ボタン等が押圧操作された場合、そのボタンに対応する操作を実行し、動作を終了する。また、タッチパッドが操作された場合、Ｓ３０２に移行し、選択状態操作キーが操作された場合、Ｓ３０４に移行する。
【００４６】
（Ｓ３０２）タッチパッド１０２が操作された場合、ディスプレイ３００上におけるポインタ位置座標に対応するポインタ位置情報を検出し、ポインタ操作信号生成部にポインタ位置情報を出力する。ここで、検出するポインタ位置情報は、予めディスプレイ上の一点を基準点とする絶対座標系を用いても構わないし、現在のポインタ位置を基準とする相対座標系を用いても構わない。
【００４７】
（Ｓ３０３）次に、ポインタ信号生成部１０３は、タッチパッド１０２からポインタ位置情報の通知を受けると、ディスプレイ３００上のポインタ３０２の位置座標を特定するためのポインタ操作信号を生成し、送信部１０５に出力する。
【００４８】
（Ｓ３０６）そして、送信部１０５は、ポインタ信号生成部１０３からポインタ操作信号の通知を受けると、通信媒体を介し、テレビ放送受信端末装置２００に送信する。
【００４９】
（Ｓ３０４）一方、選択状態操作キー１０１が操作された場合、操作された選択状態操作キーに応じた操作方向信号を選択状態変更信号生成部１０４に通知する。
【００５０】
（Ｓ３０５）次に、選択状態変更信号生成部１０４は、選択状態操作キー１０１から操作方向信号の通知を受けると、ディスプレイ３００上の選択状態表示を行うオブジェクトを変更する選択状態変更信号を生成し、送信部１０５に出力する。
【００５１】
（Ｓ３０６）そして、送信部１０５は、選択状態操作キー１０１から選択状態変更信号の通知を受けると、通信媒体を介し、テレビ放送受信端末装置２００に送信する。
【００５２】
なお、Ｓ３０２及び、Ｓ３０４の処理は、同時並列で行っても構わない。その場合、送信部１０５は、ポインタ操作信号又は、選択状態変更信号が通知毎に、テレビ放送受信端末装置２００に、通信媒体を介して、送信するものとする。また、通信媒体は、ポインタ操作信号又は、選択状態変更信号を送信できる媒体であればどのようなものを用いてもよく、例えば、ＩＥＥＥ８０２．１１に策定される通信規格に基づく電波や、ＩＥＥＥ８０２．１５．１に策定される通信規格に基づくＢｌｕｅｔｏｏｔｈ又は、ＬＥＤ等を用いた赤外線を用いても構わない。
【００５３】
以下、本発明の実施の形態１におけるテレビ放送受信端末装置２００の動作について、図面を参照しながら説明する。
【００５４】
図８は、テレビ放送受信端末装置２００の動作を示すフローチャートである。本フローチャートにおいては、説明の便宜上、図６に示すようにディスプレイ３００上にオブジェクトＡからオブジェクトＦが表示されているものとする。さらに、オブジェクトＣのみが選択状態表示されているものとする。ここで、オブジェクト情報管理部２０３では、図９に示すような、オブジェクト名、オブジェクト位置座標、選択状態表示情報が蓄積されているとする。また、フラグ制御部２０６におけるフラグテーブルは、図５に示すようにオブジェクトＣのみフラグがオンになっているものとする。
【００５５】
（Ｓ８０１）まず、受信部２０１において、テレビリモコン１００からの通信信号を受信し、信号検出部２０２に出力し、Ｓ８０２に移行する。
【００５６】
（Ｓ８０２）次に、信号検出部２０２は、受信部２０１で受信した受信信号から、ポインタ操作信号又は、選択状態変更信号を検出し、情報処理部２０４に出力し、Ｓ８０３に移行する。
【００５７】
（Ｓ８０３）そして、情報処理部２０４は、信号検出部２０２から通知された信号が、ポインタ操作信号であるか、選択状態変更信号であるかを判定する。判定結果がポインタ操作信号である場合、Ｓ８０４に移行し、選択状態変更信号である場合、Ｓ８０８に移行する。
【００５８】
（Ｓ８０４）情報処理部２０４は、信号検出部２０２から通知された信号の判定結果が、ポインタ操作信号である場合、ポインタ操作信号を基に、ディスプレイ３００上におけるポインタ位置座標を算出し、オブジェクト選択部２０５に出力し、Ｓ８０５に移行する。ここで、例えば、図６に示すように、オブジェクトＡにポインタが移動された場合、ポインタ位置座標として、（ｘ１、ｙ１）が算出されることになる。
【００５９】
（Ｓ８０５）オブジェクト選択部２０５は、情報処理部２０４からポインタ位置座標が通知されると、オブジェクト情報管理部２０３に蓄積されるオブジェクト位置座標を基に、ポインタ３０２と、オブジェクト３０１との重なりを判定し、ポインタ３０２が重なっているオブジェクト名を、フラグ制御部２０６に通知し、Ｓ８０６に移行する。ここで、例えば、情報処理部２０４から、ポインタ位置座標（ｘ１、ｙ１）が通知された場合、ポインタ３０２と重なっているオブジェクトは、オブジェクトＡと判定され、フラグ管理部２０６にオブジェクト名として、オブジェクトＡが通知されることになる。なお、ポインタ３０２と、オブジェクト３０１との重なりを判定するアルゴリズムは、どのようなものを用いても構わない。
【００６０】
（Ｓ８０６）フラグ制御部２０６は、オブジェクト選択部２０５からオブジェクト名が通知されると、フラグテーブルに管理されるフラグのうち、通知されたオブジェクト名に対応するフラグのみをオンとする制御を行い、表示出力部２０７にフラグテーブルを通知し、Ｓ８０７に移行する。ここで、例えば、オブジェクト選択部２０５からオブジェクトＡが通知されると、図１０に示すように、現在、フラグがオンとなっているオブジェクトＣのフラグをオフにし、オブジェクトＡのフラグをオンとする制御を行うことになる。
【００６１】
（Ｓ８０７）表示出力部２０７は、フラグ制御部２０６からフラグテーブルが通知されると、オブジェクト情報管理部２０３に蓄積される選択状態表示情報と、フラグテーブルとを基に、ディスプレイ３００上に表示されるオブジェクトのうち、フラグテーブルにおいてフラグがオンとなっているオブジェクトのみ、選択状態表示とする表示信号を出力し動作を終了する。例えば、図１０に示すフラグテーブルが、フラグ制御部２０６から通知された場合、オブジェクトＡのみをハイライト表示する表示信号を出力し動作を終了することになる。
【００６２】
（Ｓ８０８）一方、情報処理部２０４における判定結果が、選択状態変更信号である場合、選択状態変更キー１０１にて行った変更操作の操作方向信号を計算し、オブジェクト選択部２０５に出力し、Ｓ８０９に移行する。ここで、例えば、選択状態変更キー１０１において、下方向キー１０１（ｂ）が操作されると、下方向に対応する操作方向信号が出力されることになる。
【００６３】
（Ｓ８０９）オブジェクト選択部２０５は、情報処理部２０４から操作方向信号が通知されると、操作方向信号と、フラグ制御部２０６におけるフラグテーブルを基に、変更操作後に選択状態表示とするオブジェクトを選択し、選択されたオブジェクト名をフラグ制御部２０６に通知し、Ｓ８０６に移行する。ここで、例えば、情報処理部２０４から下方向に対応する操作方向信号が通知された場合、現在フラグがオンとなっているオブジェクトＣの下方にあるオブジェクトＤが選択され、フラグ制御部２０６に通知されることになる。
【００６４】
上記の構成により、ポインタ操作中に方向指示キーを押下するという単純な操作でポインタ操作から方向指示キー操作に切替え、また方向指示キー操作中にポインタの操作をリモコンによって行うだけで、方向指示キー操作からポインタ操作に切替えることが可能であり、どちらからの切り替えも容易なものとなるリモコンシステムを提供することが可能となる。
【００６５】
ディスプレイ３００のグラフィックユーザインタフェース上でテレビリモコン本体１００を用いた操作でポインタ位置が指示しフォーカス表示されているオブジェクトに移動させると、ポインタ管理状態は活性化状態に遷移して機能領域を指示できる状態であるフォーカスを表示し、ポインタ操作を用いた機能領域のフォーカスの移動が可能となる。また、リモコン操作者により方向指示キーなどのボタン押下なし操作することでも機能領域を指示するだけでポインタ操作が活性されることになる。
【００６６】
また、ポインタ操作によるポインタ位置が機能領域の指示となりフォーカスの位置となったとき、ポインタ管理情報を活性に設定することで、自動的に切替えポインタ操作を活性化し、ポインタを用いた機能領域の移動操作を行うことができる。指示される機能領域は、フォーカス表示されることになる。
【００６７】
表示される機能領域をリモコンからの指示でフォーカスの位置を制御する場合に、ポインタ表示管理情報を管理することでポインタ操作によるフォーカスと方向指示キーによるフォーカスを容易に切り換え遷移を可能とすることができる。
【００６８】
また、ポインタ操作で活性化されたとき、ポインタの形状を変化させる制御を行うことでリモコン操作者にも容易に切替えを判断することができる。
【産業上の利用可能性】
【００６９】
以上のように本発明によれば、リモコン操作者による操作でポインタ操作に方向キーを押下するという単純な操作でポインタ操作から方向指示キー操作に入力を切替えることができ、不活性状態なポインタ表示位置をディスプレイ上の機能領域を示すフォーカス位置に移動させる、またはリモコン操作するという、学習をあまり必要としない自然な動作で方向指示キーの操作からポインタ指示による操作に切替えることが可能であり、どちらからの切り替えも容易なものとなる。
【図面の簡単な説明】
【００７０】
【図１】本実施の形態１におけるリモコンシステムの構成図
【図２】本実施の形態１におけるテレビリモコン１００の一構成例を示すブロック図
【図３】本実施の形態１におけるテレビリモコン１００のボタン配置図
【図４】本実施の形態１におけるテレビリモコン１００の一構成例を示すブロック図
【図５】本実施の形態１におけるディスプレイ３００上に表示されるオブジェクトの選択状態表示に対応するフラグテーブルを示す図
【図６】本実施の形態１におけるディスプレイの表示例を示す図
【図７】テレビリモコン１００の動作を示すフローチャート
【図８】テレビ放送受信端末装置２００の動作を示すフローチャート
【図９】本実施の形態１におけるオブジェクト名、オブジェクト位置座標及び、選択状態表示情報の管理を行うテーブルを示す図
【図１０】本実施の形態１におけるオブジェクト名と、フラグ状態とを管理するテーブルを示す図
【符号の説明】
【００７１】
１００  テレビリモコン本体
１０１  選択状態変更キー
１０２  タッチパッド
１０３  ポインタ操作信号生成部
１０４  選択状態変更信号生成部
１０５  送信部
２００  テレビ放送受信端末装置
２０１  受信部
２０２  信号検出部
２０３  オブジェクト情報管理部
２０４  情報処理部
２０５  オブジェクト選択部
２０６  フラグ制御部
２０７  表示出力部
３００  ディスプレイ
３０１  オブジェクト
３０２  ポインタ
【図１】
2010182134.tif 000003
【図２】
2010182134.tif 000004
【図３】
2010182134.tif 000005
【図４】
2010182134.tif 000006
【図５】
2010182134.tif 000007
【図６】
2010182134.tif 000008
【図７】
2010182134.tif 000009
【図８】
2010182134.tif 000010
【図９】
2010182134.tif 000011
【図１０】
2010182134.tif 000012